(57)【要約】【課題】外部機器内のＭＰＥＧストリームデータに対する一覧表示を短時間に行えるようにする。【解決手段】外部機器の接続が検出されたとき、Ｉピクチャ解析部１０５がその外部機器に格納されているＭＰＥＧストリームデータ中のＩピクチャデータを解析し、Ｉピクチャ取得部１０６が解析結果に基づいてＭＰＥＧストリーム中の複数のＩピクチャデータを取得してＩピクチャ格納メモリ１０７に格納し、Ｉピクチャデコーダ１０８がＩピクチャ格納メモリ１０７に格納されているＩピクチャデータをデコードしたサムネイル画像データをサムネイル画像格納メモリ１０９に格納し、表示制御部１１２がサムネイル画像格納メモリ１０９に格納されているサムネイル画像データを表示部１１３に一覧表示させる。【選択図】図１
2008271147.tif 000002
【特許請求の範囲】
【請求項１】
外部機器の接続を検出する外部機器接続検出手段と、
接続された外部機器に格納されているＭＰＥＧストリームデータ中のＩピクチャデータを解析するＩピクチャ解析手段と、
前記Ｉピクチャ解析手段による解析結果に基づいて前記ＭＰＥＧストリーム中のＩピクチャデータを取得してＩピクチャ格納メモリに格納するＩピクチャ取得手段と、
前記Ｉピクチャ格納メモリに格納されているＩピクチャデータをデコードしたサムネイル画像データをサムネイル画像格納メモリに格納するＩピクチャデコード手段と、
前記サムネイル画像格納メモリに格納されているサムネイル画像データを表示部に一覧表示させる表示制御手段と、
前記各手段の動作を制御する制御手段とを備えたことを特徴とするデータ処理装置。
【請求項２】
前記Ｉピクチャ取得手段は、前記ＭＰＥＧストリームデータのタイトルの先頭及びチャプターの先頭のうち少なくともいずれかに位置するＩピクチャデータを取得することを特徴とする請求項１に記載のデータ処理装置。
【請求項３】
前記Ｉピクチャ取得手段により取得したＩピクチャデータに付随する時間情報と、前記サムネイル画像格納メモリに格納されているサムネイル画像データとを関連付けるサムネイル時間制御手段を備えたことを特徴とする請求項１又は２記載のデータ処理装置。
【請求項４】
前記外部機器接続検出手段により複数の外部機器の接続が検出されたときに、それぞれの外部機器について前記表示部にサムネイル画像を一覧表示させることを特徴とする請求項１〜３のいずれか１項に記載のデータ処理装置。
【請求項５】
前記表示部に一覧表示されているサムネイル画像から任意のサムネイル画像を選択することにより、その選択されたサムネイル画像データに対応する位置から前記ＭＰＥＧストリームデータが再生されるようにしたことを特徴とする請求項１〜４のいずれか１項に記載のデータ処理装置。
【請求項６】
前記表示部に一覧表示されているサムネイル画像から任意の２枚のサムネイル画像を選択するとともに、外部機器を指定することにより、それら選択された２枚のサムネイル画像データに対応する位置間の前記ＭＰＥＧストリームデータが前記指定された外部機器にデータコピーされるようにしたことを特徴とする請求項１〜５のいずれか１項に記載のデータ処理装置。
【請求項７】
前記表示部を備えた受像装置に内蔵されることを特徴とする請求項１〜６のいずれか１項に記載のデータ処理装置。
【請求項８】
外部機器の接続が検出されたとき、その外部機器に格納されているＭＰＥＧストリームデータ中のＩピクチャデータを解析する手順と、
前記Ｉピクチャ解析の手順による解析結果に基づいて前記ＭＰＥＧストリーム中のＩピクチャデータを取得してＩピクチャ格納メモリに格納する手順と、
前記Ｉピクチャ格納メモリに格納されているＩピクチャデータをデコードしたサムネイル画像データをサムネイル画像格納メモリに格納する手順と、
前記サムネイル画像格納メモリに格納されているサムネイル画像データを表示部に一覧表示させる手順とを有することを特徴とするデータ処理装置の制御方法。
【請求項９】
外部機器の接続が検出されたとき、その外部機器に格納されているＭＰＥＧストリームデータ中のＩピクチャデータを解析する処理と、
前記Ｉピクチャ解析の処理による解析結果に基づいて前記ＭＰＥＧストリーム中のＩピクチャデータを取得してＩピクチャ格納メモリに格納する処理と、
前記Ｉピクチャ格納メモリに格納されているＩピクチャデータをデコードしたサムネイル画像データをサムネイル画像格納メモリに格納する処理と、
前記サムネイル画像格納メモリに格納されているサムネイル画像データを表示部に一覧表示させる処理とをコンピュータに実行させることを特徴とするコンピュータプログラム。
【発明の詳細な説明】
【技術分野】
【０００１】
本発明は、外部機器からＩピクチャデータを取得して、そのサムネイル画像を一覧表示するデータ処理装置、その制御方法、及びコンピュータプログラムに関する。
【背景技術】
【０００２】
従来の受像装置は、ＭＰＥＧ(Moving Picture Experts Group)規格に基づいて符号化（エンコード）され、復号装置によって復号（デコード）された画像や音声等のデータを受信し、これを表示部に表示するようになされている。
【０００３】
この場合、復号装置の復号（デコード）能力によっては、受像装置で出力されるまでの時間が左右されてしまうという課題がある。
【０００４】
例えば特許文献１には、機器間で複号装置を共用し、そこで複号（デコード）して受像装置へデータを送るという技術が開示されている。
【０００５】
【特許文献１】特開平９−１０２９２３号公報
【発明の開示】
【発明が解決しようとする課題】
【０００６】
しかしながら、上記技術例では全てのデータを複号装置に送って複号（デコード）してから受像装置へ送るため、転送に時間がかかるという課題がある。
【０００７】
本発明は上記のような点に鑑みてなされたものであり、外部機器内のＭＰＥＧストリームデータに対する一覧表示を短時間に行えるようにすることを目的とする。
【課題を解決するための手段】
【０００８】
本発明のデータ処理装置は、外部機器の接続を検出する外部機器接続検出手段と、接続された外部機器に格納されているＭＰＥＧストリームデータ中のＩピクチャデータを解析するＩピクチャ解析手段と、前記Ｉピクチャ解析手段による解析結果に基づいて前記ＭＰＥＧストリーム中のＩピクチャデータを取得してＩピクチャ格納メモリに格納するＩピクチャ取得手段と、前記Ｉピクチャ格納メモリに格納されているＩピクチャデータをデコードしたサムネイル画像データをサムネイル画像格納メモリに格納するＩピクチャデコード手段と、前記サムネイル画像格納メモリに格納されているサムネイル画像データを表示部に一覧表示させる表示制御手段と、前記各手段の動作を制御する制御手段とを備えたことを特徴とする。
本発明のデータ処理装置の制御方法は、外部機器の接続が検出されたとき、その外部機器に格納されているＭＰＥＧストリームデータ中のＩピクチャデータを解析する手順と、前記Ｉピクチャ解析の手順による解析結果に基づいて前記ＭＰＥＧストリーム中のＩピクチャデータを取得してＩピクチャ格納メモリに格納する手順と、前記Ｉピクチャ格納メモリに格納されているＩピクチャデータをデコードしたサムネイル画像データをサムネイル画像格納メモリに格納する手順と、前記サムネイル画像格納メモリに格納されているサムネイル画像データを表示部に一覧表示させる手順とを有することを特徴とする。
本発明のコンピュータプログラムは、外部機器の接続が検出されたとき、その外部機器に格納されているＭＰＥＧストリームデータ中のＩピクチャデータを解析する処理と、前記Ｉピクチャ解析の処理による解析結果に基づいて前記ＭＰＥＧストリーム中のＩピクチャデータを取得してＩピクチャ格納メモリに格納する処理と、前記Ｉピクチャ格納メモリに格納されているＩピクチャデータをデコードしたサムネイル画像データをサムネイル画像格納メモリに格納する処理と、前記サムネイル画像格納メモリに格納されているサムネイル画像データを表示部に一覧表示させる処理とをコンピュータに実行させることを特徴とする。
【発明の効果】
【０００９】
本発明によれば、外部機器の接続が検出されたとき、その外部機器に格納されているＭＰＥＧストリームデータ中の所定のＩピクチャデータをエンコードされたまま取得し、それを自機内でデコードしてサムネイル画像を一覧表示するので、外部機器内のＭＰＥＧストリームデータに対する一覧表示を短時間に行うことができる。
【発明を実施するための最良の形態】
【００１０】
以下、添付図面を参照して、本発明の好適な実施形態について説明する。
図１は、本発明を適用した実施形態に係る受像装置１０１の概略構成を示すブロック図である。１０１は受像装置であり、デジタル入出力インタフェース１０３を介して外部機器１１５、１１６が接続可能となっている。
【００１１】
１０２は各部の動作を制御するＣＰＵであり、本発明でいう制御手段として機能する。１０３は外部機器１１５、１１６が接続されるデジタル入出力インタフェースであり、外部機器１１５、１１６が接続されるとともに、受像装置１０１におけるデータの入出力を管理する。
【００１２】
１０４は外部機器接続検出手段である外部機器接続検出部であり、デジタル入出力インタフェース１０３を監視し、デジタル入出力インタフェース１０３への外部機器１１５、１１６の接続を検出する。外部機器接続検出部１０４は、外部機器が接続されたことを検出した場合、ＣＰＵ１０２に通知する。
【００１３】
１０５はＩピクチャ解析手段であるＩピクチャ解析部であり、デジタル入出力インタフェース１０３に接続された外部機器１１５、１１６に格納されているＭＰＥＧストリームデータを解析し、そのＭＰＥＧストリームデータ中のＩピクチャデータを解析する。
【００１４】
１０６はＩピクチャ取得手段であるＩピクチャ取得部であり、Ｉピクチャ解析部１０５による解析結果に基づいてＭＰＥＧストリーム中の複数のＩピクチャデータを取得する。本実施形態では、ＭＰＥＧストリームデータのタイトルの先頭に位置するＩピクチャデータの有無を検出する。なお、タイトルの先頭に加えて、或いは、別にチャプターの先頭に位置するＩピクチャデータの有無を検出するようにしてもよい。１０７はＩピクチャ格納メモリであり、Ｉピクチャ取得部１０６によって取得されたＩピクチャデータを格納する。
【００１５】
１０８はＩピクチャデコード手段であるＩピクチャデコーダであり、Ｉピクチャ格納メモリ１０７に格納されているＩピクチャデータをデコードし、所定のサイズに縮小したサムネイル画像データに変換する。１０９はサムネイル画像格納メモリであり、Ｉピクチャデコーダ１０８によって変換されたサムネイル画像データを格納する。
【００１６】
１１０は時間情報格納メモリであり、Ｉピクチャ取得部１０６によって取得されたＩピクチャデータに付随する時間情報を格納する。１１１はサムネイル時間制御手段であるサムネイル時間制御部であり、サムネイル画像格納メモリ１０９に格納されているサムネイル画像データと、時間情報格納メモリ１１０に格納されている時間情報（すなわちＩピクチャデータに付随する時間情報）とを関連付ける。
【００１７】
１１２は表示制御手段である表示制御部であり、サムネイル画像格納メモリ１０９に格納されているサムネイル画像データを表示部１１３に一覧表示させる。１１３は表示部であり、表示制御部１１２の指示によってサムネイル画像格納メモリ１０９に格納されているサムネイル画像データを一覧表示する。１１４は表示選択部であり、表示部１１３に一覧表示されているサムネイル画像からユーザの選択操作に従ったものを選択する。
【００１８】
１１５、１１６は外部機器であり、デジタル入出力インタフェース１０３介して受像装置１０１に接続される。１１７は再生制御部であり、外部機器１１５もしくは外部機器１１６に対し再生制御（再生／停止／早送り／逆送り等）を指示するトリガを受信する。１１８はＲＡＭであり、ＣＰＵ１０２がワークＲＡＭとして使用する。
【００１９】
次に、本実施形態に係る受像装置１０１でのサムネイル画像の一覧表示処理について説明する。図２は、本実施形態に係る受像装置１０１での処理を説明するためのフローチャートである。
【００２０】
ステップＳ２０１において、ＣＰＵ１０２は、外部機器接続検出部１０４を介して、デジタル入出力インタフェース１０３への外部機器の接続を検出する。外部機器の接続が検出されない場合、その先の処理は実施されず、ステップＳ２０１を繰り返し実施する。外部機器の接続が検出された場合、ステップＳ２０２へ遷移する。
【００２１】
図４、７、１１には、受像装置１０１への外部機器の接続例を示す。図４は、受像装置１０１に１台の外部機器４０１が接続されている例である。図７は、受像装置１０１に２台の外部機器７０１、７０２が接続されている例である。図１１は、受像装置１０１に３台の外部機器１１０１、１１０２、１１０３が接続されている例である。
【００２２】
ステップＳ２０２において、ＣＰＵ１０２は、Ｉピクチャ解析部１０５に、外部機器内のＭＰＥＧストリームデータの有無を解析させる。ＭＰＥＧストリームデータが存在しない場合はステップＳ２１０へ、存在する場合はステップＳ２０３へ遷移する。
【００２３】
ステップＳ２０３において、ＣＰＵ１０２は、Ｉピクチャ解析部１０５に、外部機器内のＭＰＥＧストリームデータをストリーム先頭より末尾に向かって解析させ、タイトルの先頭に該当するＩピクチャデータの有無を検出させる。タイトルの先頭に位置するＩピクチャが検出されなかった場合はステップＳ２０９へ、検出された場合はステップＳ２０４へ遷移する。
【００２４】
ステップＳ２０４において、ＣＰＵ１０２は、Ｉピクチャ取得部１０６に、ステップＳ２０３にて検出されたＩピクチャデータを外部機器からデジタル入出力インタフェース１０３を介して取得させる。Ｉピクチャ取得部１０６は、Ｉピクチャデータを取得してＩピクチャ格納メモリ１０７に格納し、ステップＳ２０５へ遷移する。
【００２５】
ステップＳ２０５において、ＣＰＵ１０２は、Ｉピクチャ取得部１０６に、ステップＳ２０３にて検出されたＩピクチャデータに付随する時間情報を外部機器からデジタル入出力インタフェース１０３を介して取得させる。Ｉピクチャ取得部１０６は、時間情報を取得して、ステップＳ２０４にて取得したＩピクチャデータと関連付けて、関連付け情報と共に時間情報格納メモリ１１０に格納し、ステップＳ２０６へ遷移する。
【００２６】
ステップＳ２０６において、ＣＰＵ１０２は、Ｉピクチャデコーダ１０８に、ステップＳ２０４にてＩピクチャ格納メモリ１０７に格納されたＩピクチャデータのデコードを指示する。Ｉピクチャデコーダ１０８は、Ｉピクチャ格納メモリ１０７内のＩピクチャデータをデコードし、そのデコードしたデータをサムネイル画像データとしてサムネイル画像格納メモリ１０９に格納する。
【００２７】
ステップＳ２０７において、ＣＰＵ１０２は、サムネイル時間制御部１１１に、ステップＳ２０６にて生成されてサムネイル画像格納メモリ１０９に格納されたサムネイル画像データと、時間情報格納メモリ１１０内の時間情報とを関連付けさせる。サムネイル時間制御部１１１は、サムネイル画像データと時間情報とを関連付けて、サムネイル画像格納メモリ１０９に格納する。
【００２８】
ステップＳ２０８において、ＣＰＵ１０２は、表示制御部１１２に、サムネイル画像格納メモリ１０９内のサムネイル画像データを表示部１１３に表示させる。表示制御部１１２は、表示部１１３にサムネイル画像データを表示する。
【００２９】
ステップＳ２０９において、ＣＰＵ１０２は、Ｉピクチャ解析部１０５からＭＰＥＧストリームデータを全て解析し終えた通知の有無を監視する。解析し終えていない場合はステップＳ２０３へ、解析し終えた場合はステップＳ２１０へ遷移する。
【００３０】
図３には、１台の外部機器についてＭＰＥＧストリームデータを全て解析し終えた時点でのサムネイル画像の表示例を示す。
【００３１】
ステップＳ２１０において、ＣＰＵ１０２は、外部機器接続検出部１０４を介して、デジタル入出力インタフェース１０３にＭＰＥＧストリームデータの解析を実施していない外部機器が接続されているかどうかを監視する。外部機器の接続が検出されない場合、処理を終了する。外部機器の接続が検出された場合、ステップＳ２０２へ戻る。
【００３２】
図６には、２台の外部機器についてＭＰＥＧストリームデータを全て解析し終えた時点でのサムネイル画像の表示例を示す。図６に示すように、複数台の外部機器が接続されているときは、それぞれの外部機器についてサムネイル画像が一覧表示される。
【００３３】
以上述べた処理により、外部機器に格納されているＭＰＥＧストリームデータ中のタイトルの先頭に位置するＩピクチャデータの一覧表示が実施される。このように、外部機器の接続が検出されたとき、その外部機器内のＭＰＥＧストリームデータを解析し、タイトルやチャプターの先頭に位置するＩピクチャデータを圧縮状態（エンコード状態）のまま自動的に取得し、それを自機に内蔵するＩピクチャデコーダ１０８にて解凍（デコード）してサムネイル画像として一覧表示するので、外部機器内のＭＰＥＧストリームデータに対する一覧表示を短時間に行うことができる。
【００３４】
次に、図５〜７を参照して、受像装置１０１に一覧表示されているサムネイル画像から任意のサムネイル画像を選択することによる再生処理について説明する。図５は、本実施形態に係る受像装置１０１での処理を説明するためのフローチャートである。
【００３５】
まず、ステップＳ５０１において、ＣＰＵ１０２の指示に従い、再生制御部１１７は再生指示の受信の有無を監視する。再生指示の受信がある場合はステップＳ５０４へ、受信がない場合はステップＳ５０２へ遷移する。
【００３６】
ステップＳ５０２において、ＣＰＵ１０２の指示に従い、表示選択部１１４はサムネイル画像選択指示の有無を監視する。選択指示がない場合はステップＳ５０１へ戻り、選択指示がある場合はステップＳ５０３へ遷移する。
【００３７】
ステップＳ５０３において、ＣＰＵ１０２は、表示選択部１１４により指示されたサムネイル画像の選択位置情報を、そのサムネイル画像データに関連付けられた時間情報と共にＲＡＭ１１８に格納し、ステップＳ５０１へ戻る。また、ＣＰＵ１０２は、表示選択部１１４により指示されたサムネイル画像の選択位置情報を表示制御部１１２に通知する。表示制御部１１２は、例えば図６に示すサムネイル画像２Ｉ-２のように、表示部１１３に一覧表示しているサムネイル画像に選択されたことが分かるマーカ等を重畳表示する。
【００３８】
一方、ステップＳ５０４において、ＣＰＵ１０２は、ＲＡＭ１１８に格納されているサムネイル画像の選択位置情報より選択された時間情報を取得し、ステップＳ５０５へ遷移する。
【００３９】
ステップＳ５０５において、ＣＰＵ１０２は、ステップＳ５０４にて取得した時間情報に基づいて、デジタル入出力インタフェース１０３を介して外部機器に対し再生要求を行う。図７には、外部機器７０２に格納されているＭＰＥＧストリームデータを再生する場合に、受像装置１０１が"再生指示"を出力している状態を示す。
【００４０】
ステップＳ５０６において、ＣＰＵ１０２の指示に従い、再生制御部１１７は再生停止指示の受信の有無を監視する。再生停止指示の受信がある場合はステップＳ５０１へ戻り、受信がない場合はステップＳ５０７へ遷移する。
【００４１】
ステップＳ５０７において、ＣＰＵ１０２の指示に従い、再生制御部１１７は再生終了通知の受信の有無を監視する。再生終了通知の受信がある場合はステップＳ５０１へ戻り、受信がない場合はステップＳ５０６へ戻る。
【００４２】
以上述べた処理により、表示部１１３に一覧表示されているサムネイル画像から任意のサムネイル画像を選択することにより、その選択されたサムネイル画像データに対応する位置からＭＰＥＧストリームデータが再生される。このように、一覧表示されたサムネイル画像を選択することにより外部機器を該当する位置から再生させることができるので、受像装置１０１と外部機器の操作を切り替えることなく、外部機器の再生映像を受像装置１０１で鑑賞することが可能になる。
【００４３】
次に、図８〜１１を参照して、受像装置１０１に接続された複数台の外部機器間でのデータコピー処理について説明する。図８は、本実施形態に係る受像装置１０１での処理を説明するためのフローチャートである。
【００４４】
まず、ステップＳ８０１において、ＣＰＵ１０２の指示に従い、表示選択部１１４はサムネイル画像選択指示の有無を監視する。選択指示がない場合はステップＳ８０１へ戻り、選択指示がある場合はステップＳ８０２へ遷移する。
【００４５】
ステップＳ８０２において、ＣＰＵ１０２は、表示選択部１１４により指示されたサムネイル画像の選択位置情報を、そのサムネイル画像データに関連付けられた時間情報と共にコピー開始位置としてＲＡＭ１１８に格納し、ステップＳ８０３へ遷移する。また、ＣＰＵ１０２は、表示選択部１１４により指示されたサムネイル画像の選択位置情報を表示制御部１１２に通知する。表示制御部１１２は、例えば図９に示すサムネイル画像１Ｉ-２のように、表示部１１３に一覧表示しているサムネイル画像に選択されたことが分かるマーカ等を重畳表示する。
【００４６】
ステップＳ８０３において、ＣＰＵ１０２の指示に従い、表示選択部１１４はサムネイル画像選択指示の有無を監視する。選択指示がない場合はステップＳ８０３へ戻り、選択指示がある場合はステップＳ８０４へ遷移する。
【００４７】
ステップＳ８０４において、ＣＰＵ１０２は、ステップＳ８０２にてＲＡＭ１１８に格納したコピー開始位置情報と、ステップＳ８０３にて選択されたサムネイル画像とが同一の外部機器に格納されたデータか判別する。両者が同一の外部機器でない場合はステップＳ８０３へ戻り、同一の外部機器である場合はステップＳ８０５へ遷移する。
【００４８】
ステップＳ８０５において、ＣＰＵ１０２は、表示選択部１１４により指示されたサムネイル画像の選択位置情報を、そのサムネイル画像データに関連付けられた時間情報と共にコピー終端位置としてＲＡＭ１１８に格納し、ステップＳ８０６へ遷移する。また、ＣＰＵ１０２は、表示選択部１１４により指示されたサムネイル画像の選択位置情報を表示制御部１１２に通知する。表示制御部１１２は、例えば図９に示すサムネイル画像１Ｉ-３のように、表示部１１３に一覧表示しているサムネイル画像に選択されたことが分かるマーカ等を重畳表示する。
【００４９】
ステップＳ８０６において、ＣＰＵ１０２の指示に従い、表示選択部１１４は外部機器選択指示の有無を監視する。選択指示がない場合はステップＳ８０６へ戻り、選択指示がある場合はステップＳ８０７へ遷移する。
【００５０】
ステップＳ８０７において、ＣＰＵ１０２は、ステップＳ８０６にて指定されたコピー先の外部機器がコピー可能であるかどうかを判断する。コピー不可能である場合はステップＳ８０６へ戻り、コピー可能である場合はステップＳ８０８へ遷移する。
【００５１】
ステップＳ８０８において、ＣＰＵ１０２は、ステップＳ８０６にて指定されたコピー先の外部機器がコピーを希望するデータより大きな空き容量が存在するかどうかを判断する。空き容量が存在しない場合はステップＳ８０６へ戻り、存在する場合はステップＳ８０９へ遷移する。
【００５２】
ステップＳ８０９において、ＣＰＵ１０２は、デジタル入出力インタフェース１０３を介し、ＲＡＭ１１８に格納されているコピー開始位置及びコピー終端位置を基に外部機器からＭＰＥＧストリームデータを抽出する。そして、ステップＳ８０６にて選択された外部機器に対してデータコピーを実施し、完了後ステップＳ８１０へ遷移する。図１１には、外部機器１１０１に格納されるＭＰＥＧストリームデータを外部機器１１０３にコピーする場合に、受像装置１０１が"コピー指示"を外部機器１１０１に送出することによりデータの取得を行い、"データコピー"により外部機器１１０３にデータコピーを実施している状態を示す。
【００５３】
ステップＳ８１０において、ＣＰＵ１０２は、ステップＳ８０９にて新たにコピーされたデータを表示部１１３に表示させるために、図２のステップＳ２０１〜ステップＳ２１０を実施する。これにより、表示部１１３が更新され、処理を終了する。図１０に、表示部１１３の表示が更新された状態を示す。
【００５４】
以上述べた処理により、表示部１１３に一覧表示されているサムネイル画像から任意の２枚のサムネイル画像を選択するとともに、外部機器を指定することにより、それら選択された２枚のサムネイル画像データに対応する位置間のＭＰＥＧストリームデータが指定された外部機器にデータコピーされる。このように、複数の外部機器を接続した際は各外部機器のＩピクチャを一覧表示し、その一覧表示上の操作で外部機器間の映像コピーの実施するができる。
【００５５】
なお、本発明の目的は、上述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【００５６】
この場合、記憶媒体から読み出されたプログラムコード自体が上述した実施形態の機能を実現することになり、プログラムコード自体及びそのプログラムコードを記憶した記憶媒体は本発明を構成することになる。
【００５７】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００５８】
また、コンピュータが読み出したプログラムコードを実行することにより、上述した実施形態の機能が実現されるだけでなく、そのプログラムコードの指示に基づき、コンピュータ上で稼動しているＯＳ（基本システム或いはオペレーティングシステム）等が実際の処理の一部又は全部を行い、その処理によって上述した実施形態の機能が実現される場合も含まれることは言うまでもない。
【００５９】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００６０】
【図１】実施形態に係る受像装置の概略構成を示すブロック図である。
【図２】実施形態に係る受像装置での処理を説明するためのフローチャートである。
【図３】Ｉピクチャデータの一覧表示例を示す図である。
【図４】受像装置への外部機器の接続例を示す図である。
【図５】実施形態に係る受像装置での処理を説明するためのフローチャートである。
【図６】Ｉピクチャデータの一覧表示例を示す図である。
【図７】受像装置への外部機器の接続例を示す図である。
【図８】実施形態に係る受像装置での処理を説明するためのフローチャートである。
【図９】Ｉピクチャデータの一覧表示例を示す図である。
【図１０】Ｉピクチャデータの一覧表示例を示す図である。
【図１１】受像装置への外部機器の接続例を示す図である。
【符号の説明】
【００６１】
１０１・・・受像装置
１０２・・・ＣＰＵ
１０３・・・デジタル入出力インタフェース
１０４・・・外部機器接続検出部
１０５・・・Ｉピクチャ解析部
１０６・・・Ｉピクチャ取得部
１０７・・・Ｉピクチャ格納メモリ
１０８・・・Ｉピクチャデコーダ
１０９・・・サムネイル画像格納メモリ
１１０・・・時間情報格納メモリ
１１１・・・サムネイル時間制御部
１１２・・・表示制御部
１１３・・・表示部
１１４・・・表示選択部
１１５・・・外部機器
１１６・・・外部機器
１１７・・・再生制御部
１１８・・・ＲＡＭ
【図１】
2008271147.tif 000003
【図２】
2008271147.tif 000004
【図３】
2008271147.tif 000005
【図４】
2008271147.tif 000006
【図５】
2008271147.tif 000007
【図６】
2008271147.tif 000008
【図７】
2008271147.tif 000009
【図８】
2008271147.tif 000010
【図９】
2008271147.tif 000011
【図１０】
2008271147.tif 000012
【図１１】
2008271147.tif 000013